(57)【要約】  硬表面と後に生じる汚れの間の接着力を低減させるための方法について記載されている。当該方法は、特定のコポリマーＡを含む液体組成物により硬表面を処理するステップを含む。これらのコポリマーＡは、ａ１）環状アミド構造を含む一またはそれ以上の特定のモノマー、又は、ａ２）一又はそれ以上の特定のアルコキシル化モノマー、及び、ｂ）一又はそれ以上のアミド基及びプロトン化又は塩の形態のスルホン酸基を含み、架橋されていても、架橋されていなくてもよい。【特許請求の範囲】
【請求項１】
硬表面と続に生じる汚れの間の接着力を低減させるための方法であって、
当該方法は、一又はそれ以上のコポリマーＡを含む液体組成物により硬表面を処理するステップを含むことを特徴とし、
コポリマーＡは以下を含む。
ａ１）１〜５０質量％の一又はそれ以上の式（１）の繰り返し構造単位
【化１】
2013508519.tif 000009
[ｎは２〜９の整数である]
又は
ａ２）１〜５０質量％の一又はそれ以上の式（２）の繰り返し構造単位
【化２】
2013508519.tif 000010
[Ｒ３、Ｒ４及びＲ５は、互いに独立に、水素又はメチルであり、
Ｒ６は、水素又は、ｎ−脂肪族（Ｃ１−Ｃ３０）−炭化水素基、イソ脂肪族（Ｃ１−Ｃ３０）−炭化水素基、オレフィン（Ｃ１−Ｃ３０）−炭化水素基、環状脂肪族（Ｃ１−Ｃ３０）−炭化水素基、アリール脂肪族（Ｃ１−Ｃ３０）−炭化水素基、若しくは芳香族（Ｃ１−Ｃ３０）−炭化水素基であり
Ｙは、Ｏ又はＮＨであり、そして、
ｍ及びｎは、エチレンオキシド単位（ＥＯ）及びプロピレンオキシド単位（ＰＯ）に関する化学量論係数であり、互いに独立に０〜５０であり、ｍ及びｎの合計が平均で≧１であり、−［ＥＯ］ｍ−［ＰＯ］ｎ−鎖におけるＥＯ及びＰＯ単位の分布は、ランダム、ブロック様、交互、又は、グラジエント様とすることができる］
及び
ｂ）４９．９９〜９８．９９質量％の一又はそれ以上の式（３）の繰り返し構造単位
【化３】
2013508519.tif 000011
［Ｒ３は、水素又はメチルであり、
Ｚは、（Ｃ１−Ｃ８）−アルキレンであり、そして、
Ｘは、Ｈ＋、Ｌｉ＋、Ｎａ＋、Ｋ＋、Ｍｇ＋＋／２、Ｃａ＋＋／２、ＡＩ＋＋＋／３、ＮＨ４＋、モノアルキルアンモニウム、ジアルキルアンモニウム、トリアルキルアンモニウム及びテトラアルキルアンモニウムからなる群から選択され、アンモニウムイオン中のアルキル基が、互いに独立に、１〜３０個の炭素原子を含む]
【請求項２】
コポリマーＡが、０．０１〜８質量％の、少なくとも二つのオレフィン二重結合を有する一又はそれ以上のモノマーを由来とする一又はそれ以上の架橋構造を含有する、請求項１に記載の方法。
【請求項３】
コポリマーＡが、１０３〜１０９ｇ／ｍｏｌの分子量Ｍｗを有する、請求項１に記載の方法。
【請求項４】
一又はそれ以上の式（１）の構造単位が、Ｎ−ビニルピロリドン（ＮＶＰ）及びＮ−ビニルカプロラクタムからなる群から選択される物質由来である、請求項１に記載の方法。
【請求項５】
一又はそれ以上の式（２）の構造単位において、Ｒ３、Ｒ４及びＲ５が、互いに独立に、水素又はメチルであり、Ｒ６が、ｎ−脂肪族（Ｃ１０−Ｃ２２）−炭化水素基、イソ脂肪族（Ｃ１０−Ｃ２２）−炭化水素基、又はオレフィン（Ｃ１０−Ｃ２２）−炭化水素基であり、ＹがＯ又はＮＨであり、好ましくはＯであり、ｎが０であり、ｍが１〜３０である、請求項１に記載の方法。
【請求項６】
一又はそれ以上の式（３）の構造単位において、Ｒ３が水素又はメチルであり、ＺがＣ４−アルキレンであり、そして、ＸがＨ＋、Ｎａ＋、及びＮＨ４＋からなる群から選択される、請求項１に記載の方法。
【発明の詳細な説明】
【技術分野】
【０００１】
本発明は、特定のコポリマーＡを含む液体組成物により硬表面を処理することで硬表面と続に生じる汚れの間の接着力を低減させるための方法に関する。
【背景技術】
【０００２】
通常、液体洗浄組成物、洗浄組成物、及び殺菌組成物が、すでに汚染された硬表面からの汚れの除去に使用される。しかしながら、硬表面と接着された汚れの間の接着力により、汚れの除去がしばしば不完全になるか、または、硬表面の拭き取り又は磨きなどの過度の処理が必要となる。
【先行技術文献】
【特許文献】
【０００３】
【特許文献１】欧州特許公報１１１６７３３号
【特許文献２】欧州特許公報１０６９１４２号
【発明の概要】
【発明が解決しようとする課題】
【０００４】
よって、本発明は、硬表面と後に生じる汚れの間の接着力を低減させるための方法を提供することを課題とする。
【課題を解決するための手段】
【０００５】
驚くべきことに、当該課題は、特定のコポリマーＡを含む液体組成物により硬表面を処理することで解決できることが見いだされた。
【０００６】
従って、本発明は硬表面と後に生じる汚れの間の接着力を低減させるための方法を提供し、当該方法は、一又はそれ以上のコポリマーＡを含む液体組成物により硬表面を処理するステップを含むことを特徴とし、
コポリマーＡは以下を含む。
ａ１）１〜５０質量％の一又はそれ以上の式（１）の繰り返し構造単位
【０００７】
【化１】
2013508519.tif 000002
[ｎは２〜９の整数である]
又は
ａ２）１〜５０質量％の一又はそれ以上の式（２）の繰り返し構造単位
【０００８】
【化２】
2013508519.tif 000003
[Ｒ３、Ｒ４及びＲ５は、互いに独立に、水素又はメチルであり、
Ｒ６は、水素又は、ｎ−脂肪族（Ｃ１−Ｃ３０）−炭化水素基、イソ脂肪族（Ｃ１−Ｃ３０）−炭化水素基、オレフィン（Ｃ１−Ｃ３０）−炭化水素基、環状脂肪族（Ｃ１−Ｃ３０）−炭化水素基、アリール脂肪族（Ｃ１−Ｃ３０）−炭化水素基、若しくは芳香族（Ｃ１−Ｃ３０）−炭化水素基であり
Ｙは、Ｏ又はＮＨであり、そして、
ｍ及びｎは、エチレンオキシド単位（ＥＯ）及びプロピレンオキシド単位（ＰＯ）に関する化学量論係数であり、互いに独立に０〜５０であり、ｍ及びｎの合計が平均で≧１であり、−［ＥＯ］ｍ−［ＰＯ］ｎ−鎖におけるＥＯ及びＰＯ単位の分布は、ランダム、ブロック様、交互、又は、グラジエント様とすることができる］
及び
ｂ）４９．９９〜９８．９９質量％の一又はそれ以上の式（３）の繰り返し構造単位
【化３】
2013508519.tif 000004
［Ｒ３は、水素又はメチルであり、
Ｚは、（Ｃ１−Ｃ８）−アルキレンであり、そして、
Ｘは、Ｈ＋、Ｌｉ＋、Ｎａ＋、Ｋ＋、Ｍｇ＋＋／２、Ｃａ＋＋／２、ＡＩ＋＋＋／３、ＮＨ４＋、モノアルキルアンモニウム、ジアルキルアンモニウム、トリアルキルアンモニウム及びテトラアルキルアンモニウムからなる群から選択され、アンモニウムイオン中のアルキル基が、互いに独立に、１〜３０個の炭素原子を含む]
【発明を実施するための形態】
【０００９】
本発明の方法で使用されるコポリマーはコポリマーＡと呼ぶ。本発明の方法で使用されるコポリマーＡとその製造方法は、例えば、欧州特許公報１１１６７３３号及び欧州特許公報１０６９１４２号に記載されている。
【００１０】
一又はそれ以上の式（３）の繰り返し構造単位において、ＸはＨ＋である。コポリマーＡが、ＸがＨ＋である一又はそれ以上の式（３）の繰り返し構造単位を含む場合、一又はそれ以上の式（３）の繰り返し構造単位の中和度は９０％かそれ以上である。これは、一又はそれ以上の式（３）の繰り返し構造単位の９０モル％かそれ以上、ＸがＨ＋とは異なるということを意味する。コポリマーＡが、ＸがＨ＋である一又はそれ以上の式（３）の繰り返し構造単位を含む場合、一又はそれ以上の式（３）の繰り返し構造単位の中和度は好ましくは９５％かそれ以上であり、特に好ましくは９８％かそれ以上である。
【００１１】
本発明のさらに好ましい実施形態において、一又はそれ以上の式（３）の繰り返し構造単位における全ての対イオンＸがＨ＋とは異なり、すなわち、当該本発明の好ましい実施形態において、一又はそれ以上の式（３）の繰り返し構造単位における中和度は、１００％である。
【００１２】
本発明の方法の第一のステップにおいて、コポリマーＡを含む液体組成物により硬表面を処理する。後に生じる汚れ、例えば、本発明の方法の第一のステップの後に生じる汚れは、硬表面とそれほど強く接着するわけではなく、したがって、この次の洗浄効果を与えるその後の洗浄ステップにより容易に除去することができる。
【００１３】
この論理に縛られることはないが、本発明の方法の第一のステップで適用されるコポリマーＡは、硬表面上に保護層を生じ、これが硬表面と後に生じる汚れの間の接着力を低減させるのであろう。
【００１４】
さらに、本発明は、硬表面の付着特性を低減させる方法を提供し、当該方法は、一又はそれ以上のコポリマーＡを含む液体組成物により硬表面を処理するステップを含むことを特徴とする。
【００１５】
コポリマーＡは、式（１）及び（３）の構造単位、又は、式（２）及び（３）の構造単位、及び、任意にさらなる構造単位を含む。
【００１６】
好ましいコポリマーＡは２〜３０質量％、特に好ましくは３〜２０質量％の一又はそれ以上の式（１）又は（２）の構造単位、好ましくは式（１）の構造単位を含み、並びに、６９．５〜９７．５質量％、特に好ましくは８４．５〜９６．５質量％の一又はそれ以上の式（３）の構造単位を含む。
【００１７】
コポリマーＡは、架橋されていなくても、架橋されていてもよい。
【００１８】
本発明の好ましい実施形態において、コポリマーＡは架橋されている。この場合、コポリマーＡは、０．０１〜８質量％、特に好ましくは０．２〜３質量％、さらに特に好ましくは０．５〜２質量％の、少なくとも二つのオレフィン二重結合を有する一又はそれ以上のモノマーを由来とする一又はそれ以上の架橋構造を含有する。
【００１９】
少なくとも二つのオレフィン二重結合を有する一又はそれ以上のモノマーは、アリルアクリレート、アリルメタクリレート、トリメチロールプロパン、トリアクリレート、トリメチロールプロパントリメタクリレート、ジプロピレングリコールジアリルエーテル、ポリグリコールジアリルエーテル、トリエチレングリコールジビニルエーテル、ヒドロキノンジアリルエーテル、テトラアリルオキシエタン若しくは他のアリル若しくはビニルエーテル、多官能性アルコール、テトラエチレングリコールジアクリレート、トリアリルアミン、トリメチロールプロパンジアリルエーテル、メチレンビスアクリルアミド及びジビニルベンゼンからなる群から選択されることが好ましい。
【００２０】
特に好ましくは、アリルアクリレート、アリルメタクリレート、トリメチロールプロパントリアクリレート及び／又はトリメチロールプロパントリメタクリレートである。
【００２１】
本発明のさらに好ましい実施形態において、コポリマーＡは、１０３〜１０９ｇ／ｍｏｌの分子量Ｍｗを有している。特に好ましくは、コポリマーＡは、１０４〜１０７ｇ／ｍｏｌの分子量Ｍｗを有しており、さらに特に好ましくは５・１０４〜５・１０６ｇ／ｍｏｌの分子量Ｍｗを有している。本発明の範囲におけるＭｗは、ポリスチレンスルホン酸に対するＧＰＣ（ゲル透過クロマトグラフィー）により一般に測定される。
【００２２】
本発明のさらに好ましい実施形態において、一又はそれ以上の式（１）の構造単位が、Ｎ−ビニルピロリドン（ＮＶＰ）及びＮ−ビニルカプロラクタムからなる群から選択される物質由来である。
【００２３】
本発明のさらに好ましい実施形態において、一又はそれ以上の式（２）の構造単位において、Ｒ３、Ｒ４及びＲ５が、互いに独立に、水素又はメチルであり、Ｒ６が、ｎ−脂肪族（Ｃ１０−Ｃ２２）−炭化水素基、イソ脂肪族（Ｃ１０−Ｃ２２）−炭化水素基、又はオレフィン（Ｃ１０−Ｃ２２）−炭化水素基であり、ＹがＯ又はＮＨであり、好ましくはＹがＯであり、ｎが０であり、ｍが１〜３０である。
【００２４】
本発明のさらに好ましい実施形態において、一又はそれ以上の式（３）の構造単位において、Ｒ３が水素又はメチルであり、ＺがＣ４−アルキレンであり、そして、ＸがＨ＋、Ｎａ＋、及びＮＨ４＋からなる群から選択される。特に好ましいコポリマーＡは、Ｒ３が水素であり、Ｚが−Ｃ（ＣＨ３）２−ＣＨ２−であり、ＸがＮａ＋である一又はそれ以上の式（３）の構造単位を含む。
【００２５】
本発明の方法の特に好ましい実施形態において、一又はそれ以上のコポリマーＡが、ｎが３である式（１）の構造単位、Ｒ３が水素−Ｈであり、Ｚが−Ｃ４Ｈ８−、特に−Ｃ（ＣＨ３）２−ＣＨ２−であり、ＸがＨ＋、Ｎａ＋、及びＮＨ４＋からなる群から選択される式（３）の構造単位（フリー又は各塩の形態での、例えば、２−アクリルアミド−２−メチルプロパンスルホン酸由来のそれらの構造単位）を含み、そして、コポリマーＡがさらに架橋されている。
【００２６】
本発明の方法のさらに特に好ましい実施形態において、一又はそれ以上のコポリマーＡが、Ｒ３及びＲ４が水素−Ｈであり、Ｒ５が水素−Ｈ又はメチル−ＣＨ３であり、ＹがＯであり、ｍが１〜３０であり、ｎが０であり、Ｒ６が、ｎ−脂肪族（Ｃ１０−Ｃ２２）−炭化水素基、イソ脂肪族（Ｃ１０−Ｃ２２）−炭化水素基、又はオレフィン（Ｃ１０−Ｃ２２）−炭化水素基、好ましくはｎ−脂肪族（Ｃ１０−Ｃ２２）−炭化水素基、又はオレフィン（Ｃ１０−Ｃ２２）−炭化水素基である式（２）の構造単位、Ｒ３が水素−Ｈであり、Ｚが−Ｃ４Ｈ８−、特に−Ｃ（ＣＨ３）２−ＣＨ２−であり、ＸがＨ＋、Ｎａ＋、及びＮＨ４＋からなる群から選択される式（３）の構造単位を含み、そして、コポリマーＡがさらに架橋されていない。
【００２７】
本発明の方法のさらに特に好ましい実施形態において、一又はそれ以上のコポリマーＡが、Ｒ３及びＲ４が水素−Ｈであり、Ｒ５が水素−Ｈ又はメチル−ＣＨ３であり、ＹがＯであり、ｍが１〜３０であり、ｎが０であり、Ｒ６が、ｎ−脂肪族（Ｃ１０−Ｃ２２）−炭化水素基、イソ脂肪族（Ｃ１０−Ｃ２２）−炭化水素基、又はオレフィン（Ｃ１０−Ｃ２２）−炭化水素基、好ましくはｎ−脂肪族（Ｃ１０−Ｃ２２）−炭化水素基、又はオレフィン（Ｃ１０−Ｃ２２）−炭化水素基である式（２）の構造単位、Ｒ３が水素−Ｈであり、Ｚが−Ｃ４Ｈ８−、特に−Ｃ（ＣＨ３）２−ＣＨ２−であり、ＸがＨ＋、Ｎａ＋、及びＮＨ４＋からなる群から選択される式（３）の構造単位を含み、そして、コポリマーＡがさらに架橋されている。
【００２８】
本発明で使用される液体組成物は、好ましくは０．０１〜１０質量％、特に好ましくは０．０３〜５質量％、さらに特に好ましくは０．１〜２質量％のコポリマーＡを含む。
【００２９】
本発明によれば、二つかそれ以上の混合物のコポリマーＡの混合物も考慮すべきである。
【００３０】
本発明の方法で処理される硬表面は、好ましくはセラミック製、金属製、ガラス製、又はプラスチック製である。
【００３１】
本発明の方法で使用される液体組成物は、例えば、洗浄、クリーニング、殺菌又は漂白組成物は、水性、水性／有機、特に水性／アルコール性及び有機剤の形態とすることができる。さらなる実施形態においては、エマルジョン、分散液、ゲル、又は懸濁液とすることができる。
【００３２】
本発明の方法で使用される液体組成物は、ｐＨを１〜１２、好ましくはｐＨを２〜８特に好ましくいはｐＨを２〜６に通常調整する。
【００３３】
本発明の方法で使用される液体組成物は、好ましくは水を含む。これらの組成物は、好ましくは６５質量％かそれ以上、特に好ましくは８０質量％かそれ以上の量の水を含む。
【００３４】
コポリマーＡは、酸性化合物と適合性があり、ｐＨ５より低い酸性媒体中でさえもその効果を失わないという利点を有する。したがって、本発明の方法のさらに好ましい実施形態において、液体組成物は５より低いｐＨ値を有し、特に好ましくは２〜５である。
【００３５】
さらに、本発明の方法で使用される液体組成物は、漂白剤又は殺菌剤を含むことができ、例としては、塩素、若しくは臭素、又は無機過酸化物、若しくは有機過酸化物を放出する物質である。これらの液体組成物は０．１〜３０質量％、特に好ましくは０．５〜１８質量％さらに特に好ましくは１．５〜９質量％の量の漂白剤又は殺菌剤を含むことができる。
【００３６】
本発明の方法で使用される液体組成物は、例えば、洗浄、クリーニング、殺菌又は漂白組成物は、実際、界面活性剤、非イオン性界面活性剤、アニオン性界面活性剤、カチオン性界面活性剤、又は両性界面活性剤を含むことができ、そして、様々な量で慣用の助剤及び添加剤も含むことができる。
【００３７】
慣用の助剤及び添加剤の例としては、ビルダー、塩、漂白剤、漂白活性剤、蛍光増白剤、錯化剤、灰色化防止剤（graying inhibitors）、溶解促進剤、酵素、増粘剤、防腐剤、香料、及び、染料、パール化剤（pearlizing agents）、発泡防止剤、及び、金属イオン封鎖剤（sequesterants）である。
【００３８】
以下の例は本発明をさらに詳細に説明するために提供し、しかし本発明の限定を意図するものではない。例中の％はすべて質量％である。
【実施例】
【００３９】
例１
セラミック製タイルを水（「コントロール」）及び液体組成物Ａ〜Ｊで処理した。その際、水及び液体組成物Ａ〜ＪのｐＨはあらかじめｐＨ６に調整し（ステップＡ）、その後、周囲環境における空気中で乾燥させ（ステップＢ）、その後、標準汚れにより汚し（ステップＣ）、そして、最終的にステップＡで使用したのと同様の製剤により洗浄した（ステップＤ）。この手順はＡＳＴＭ  ４４８８、Ａ５  Ｓｏｉｌ  Ｔｅｓｔによるものである。
【００４０】
表１に示される汚れ除去の結果においては、硬表面と続に生じる汚れの間の接着力を低減させるための本発明の方法の優位性が示されている。汚れ除去の高い割合は、硬表面と続に生じる汚れの間の接着力の高い減少に対応する。
【００４１】
【表１】
2013508519.tif 000005
【００４２】
Ref. Pol.: 参照ポリマー  
アニオン性:     ドデシル硫酸ナトリウム
非イオン性:     Trideceth-5
Ref. Pol.:      ポリアクリレート (Mirapol（登録商標） Surf-S 110; Rhodia)
ポリマー 1:     Hostagel（登録商標）AV (アンモニウムアクリロイルジメチルタウレート / VP  コポリマー; VP: ビニルピロリドン;架橋されている; Clariant)
ポリマー 2:     アクリロイルジメチルタウレートとGenapol（登録商標）T-250 メタクリレートのコポリマー;ナトリウム塩; 架橋されている;
ＥＰ１０６９１４２のＥｘａｍｐｌｅ３に従いアンモニウム塩を調製; WO2009/098050のExample 2と同様にアンモニウムイオンをナトリウムイオンに交換
Genapol（登録商標）T-250は、(C16−C18) 脂肪アルコールポリグリコールエーテルであり、25EO(エチレンオキシド)単位を有する
ポリマー 3:     アクリロイルジメチルタウレートとGenapol（登録商標）UD-80 メタクリレートのコポリマー;アンモニウム塩;架橋されていない;EP1069142のExample 2に従い調製
Genapol（登録商標）UD-80は、C11オキソアルコールグリコールエーテルであり、８EO(エチレンオキシド)単位を有する
【００４３】
本発明の方法において使用できる液体組成物の例
例Ａ−すべての目的／キッチンクリーナー
【表２】
2013508519.tif 000006
【００４４】
例Ｂ−バスルームクリーナー
【表３】
2013508519.tif 000007
【００４５】
例Ｃ−濃縮クリーナー
【表４】
2013508519.tif 000008
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
セラミック製、金属製、ガラス製、又はプラスチック製の硬表面と続に生じる汚れの間の接着力を低減させるための方法であって、
当該方法は、一又はそれ以上のコポリマーＡを含む液体組成物により硬表面を処理するステップを含むことを特徴とし、
コポリマーＡは以下を含む。
ａ２）１〜５０質量％の一又はそれ以上の式（２）の繰り返し構造単位
【化１】
2013508519.tif 000012
[Ｒ３、Ｒ４及びＲ５は、互いに独立に、水素又はメチルであり、
Ｒ６は、水素又は、ｎ−脂肪族（Ｃ１−Ｃ３０）−炭化水素基、イソ脂肪族（Ｃ１−Ｃ３０）−炭化水素基、オレフィン（Ｃ１−Ｃ３０）−炭化水素基、環状脂肪族（Ｃ１−Ｃ３０）−炭化水素基、アリール脂肪族（Ｃ１−Ｃ３０）−炭化水素基、若しくは芳香族（Ｃ１−Ｃ３０）−炭化水素基であり
Ｙは、Ｏ又はＮＨであり、そして、
ｍ及びｎは、エチレンオキシド単位（ＥＯ）及びプロピレンオキシド単位（ＰＯ）に関する化学量論係数であり、互いに独立に０〜５０であり、ｍ及びｎの合計が平均で≧１であり、−［ＥＯ］ｍ−［ＰＯ］ｎ−鎖におけるＥＯ及びＰＯ単位の分布は、ランダム、ブロック様、交互、又は、グラジエント様とすることができる］
及び
ｂ）４９．９９〜９８．９９質量％の一又はそれ以上の式（３）の繰り返し構造単位
【化２】
2013508519.tif 000013
［Ｒ３は、水素又はメチルであり、
Ｚは、（Ｃ１−Ｃ８）−アルキレンであり、そして、
Ｘは、Ｈ＋、Ｌｉ＋、Ｎａ＋、Ｋ＋、Ｍｇ＋＋／２、Ｃａ＋＋／２、ＡＩ＋＋＋／３、ＮＨ４＋、モノアルキルアンモニウム、ジアルキルアンモニウム、トリアルキルアンモニウム及びテトラアルキルアンモニウムからなる群から選択され、アンモニウムイオン中のアルキル基が、互いに独立に、１〜３０個の炭素原子を含む]
【請求項２】
コポリマーＡが、０．０１〜８質量％の、少なくとも二つのオレフィン二重結合を有する一又はそれ以上のモノマーを由来とする一又はそれ以上の架橋構造を含有する、請求項１に記載の方法。
【請求項３】
コポリマーＡが、１０３〜１０９ｇ／ｍｏｌの分子量Ｍｗを有する、請求項１に記載の方法。
【請求項４】
一又はそれ以上の式（２）の構造単位において、Ｒ３、Ｒ４及びＲ５が、互いに独立に、水素又はメチルであり、Ｒ６が、ｎ−脂肪族（Ｃ１０−Ｃ２２）−炭化水素基、イソ脂肪族（Ｃ１０−Ｃ２２）−炭化水素基、又はオレフィン（Ｃ１０−Ｃ２２）−炭化水素基であり、ＹがＯ又はＮＨであり、好ましくはＯであり、ｎが０であり、ｍが１〜３０である、請求項１に記載の方法。
【請求項５】
一又はそれ以上の式（３）の構造単位において、Ｒ３が水素又はメチルであり、ＺがＣ４−アルキレンであり、そして、ＸがＨ＋、Ｎａ＋、及びＮＨ４＋からなる群から選択される、請求項１に記載の方法。
【国際調査報告】
2013508519.tif 000014
2013508519.tif 000015
2013508519.tif 000016
2013508519.tif 000017
2013508519.tif 000018